(57)【要約】【課題】  １チャンネルに複数のスピーカーが接続されたときのスピーカー配線の異常を診断することができる電子装置を提供する。【解決手段】  本発明のパワーアンプ１００は、スピーカー配線の異常を診断する自己診断機能２００を備える。自己診断機能２００は、診断信号を駆動回路２３０へ入力するための入力切替部２６０と、入力切替部２６０から入力された診断信号により複数のスピーカー１４０、１６０、１８０をそれぞれ駆動する駆動回路２３０と、駆動回路２３０によりスピーカーが駆動されたときの電流を検出する電流検出部２２０と、検出された電流に基づき配線の診断を行う制御部２５０とを有する。【選択図】  図３
2018186322.tif 000002
【特許請求の範囲】
【請求項１】
音声信号に基づきスピーカーを駆動する機能を備えた電子装置であって、
少なくとも１つのチャンネルに接続され、周波数特性がそれぞれ異なる複数のスピーカーと、
複数のスピーカーの各配線の異常を診断する診断手段とを有し、
前記診断手段は、複数のスピーカーがそれぞれ駆動されたときの消費電流を検出する検出手段と、
検出された消費電流に基づき各スピーカー配線の異常の有無を判定する判定手段とを有する電子装置。
【請求項２】
前記診断手段は、各スピーカーの周波数特性に対応する診断信号をそれぞれ生成する生成手段と、前記生成手段により生成された診断信号に基づきスピーカーを駆動するための駆動信号を出力する駆動手段とを有する、請求項１に記載の電子装置。
【請求項３】
前記診断手段は、前記診断信号または音声信号の前記駆動手段への入力を切替える入力切替手段と、前記入力切替手段の入力の切替えを制御する入力切替制御手段とを有し、前記入力切替制御手段は、診断時に前記診断信号を前記駆動手段に入力させる、請求項２に記載の電子装置。
【請求項４】
前記生成手段は、各スピーカーの診断数および診断順序に応じて対応する診断信号を生成し、生成された診断信号が前記駆動手段に順次入力される、請求項２または３に記載の電子装置。
【請求項５】
複数のスピーカーは、スピーカーの周波数特性に応じたフィルタ回路網を介して前記駆動手段に接続される、請求項２に記載の電子装置。
【請求項６】
前記判定手段は、検出された消費電流と閾値とを比較し、消費電流が閾値よりも一定以上小さいとき、診断対象のスピーカーの配線にオープンがあると判定し、消費電流が閾値よりも一定以上大きいとき、診断対象のスピーカーの配線に短絡があると判定する、請求項１ないし５いずれか１つに記載の電子装置。
【請求項７】
前記判定手段は、スピーカーの周波数特性が重複する範囲で診断する場合には、重複するスピーカーの合計の消費電流を判定するための閾値を設定する、請求項６に記載の電子装置。
【請求項８】
複数のスピーカーは、ツイータスピーカー、スコーカースピーカーおよびウーハの中から選択されたスピーカーを含む、請求項１ないし７いずれか１つに記載の電子装置。
【発明の詳細な説明】
【技術分野】
【０００１】
本発明は、スピーカーを備えた電子装置に関し、特にスピーカーのライン（配線）に異常があるか否かを診断する機能を備えた電子装置に関する。
【背景技術】
【０００２】
スピーカーを備えたパワーアンプ等の電子装置を出荷する場合、スピーカー配線に異常があるか否かを診断する機能を要求されることがある。例えば、特許文献１のスピーカーを備えた情報機器は、自己診断時に、人間の可聴周波数帯域外の周波数の検査信号をアンプに供給し、スピーカー駆動時にアンプから抽出されるリップル成分の信号レベルを検出することで、スピーカーがアンプに正常に接続されているか否かを判定している。特許文献２のスピーカー配線の異常検知システムは、スピーカー駆動側の出力端子の数がスピーカーの個数に比較して少ない場合に、オープン／ショートを信頼性良く検知することを可能している。具体的には、正相のテスト信号と逆相のテスト信号によりスピーカーを駆動し、そのときの両者の音声を入力し、そのレベルの差に基づきスピーカーの接続状態の適否を判定している。
【先行技術文献】
【特許文献】
【０００３】
【特許文献１】特開２００１−２５１７００号公報
【特許文献２】特開２０１４−１０７６６３号公報
【発明の概要】
【発明が解決しようとする課題】
【０００４】
パワーアンプには、上記したように、スピーカーの配線の適否を診断するための自己診断機能を内蔵するものがある。図１に、従来のパワーアンプの自己診断機能の構成を示す。パワーアンプ１０は、正側端子２２および負側端子２４を介してスピーカー２０に接続される。パワーアンプ１０は、通常動作時、入力された音声信号に基づき電源供給部１２の供給電圧Ｖｃｃから正側端子２２０を介してスピーカー２０に流れるソース電流Isourceにより、また、スピーカー２０から負側端子２４を介してグランドに流れるシンク電流Isinkによりスピーカー２０を交流駆動する。
【０００５】
一方、スピーカーの診断時、制御部３０は、電源供給部１２の供給電圧Ｖｃｃから、例えば５Ｖの直流電圧Ｖｓに変更し、電源供給部１２とグランドとの間にスピーカー２０のコイルを通過する直流電流経路を形成し、そこを流れる電流に基づきスピーカー２０の配線の異常を検出している。差動増幅器４０は、電源供給部１２と正側端子２２との間の天絡の有無を検出するものであり、天絡があれば、基準電圧Vrefよりも大きな電圧が入力され、これを検出する。差動増幅器４２は、正側端子２２と負側端子２４との間の端子間ショートの有無を検出するものであり、端子間ショートがあれば、入力される電圧差が非常に小さくなるため、これを検出する。差動増幅器４４は、地絡の有無を検出するものであり、地絡があれば、基準電圧Vrefよりも小さな電圧が入力され、これを検出する。これらの検出結果は、制御部３０へ提供され、制御部３０は、診断結果を、例えばアラームにより出力する。
【０００６】
上記の診断方法は、直流電流経路を利用して、スピーカーの配線の天絡、地絡、端子間ショート／オープンの異常を検出するが、この診断方法は、直流電流を流すことができるスピーカーの配線接続に限定されてしまう。例えば、高音域を出力するツイータスピーカーのように、直流電流を遮断するコンデンサ等がスピーカーに接続されている場合には、その診断をすることができない。また、スピーカーネットワークを介して複数のスピーカーがパワーアンプの１チャンネルに接続されている場合にも、どのスピーカーの配線に異常があるのかを診断することができないという課題がある。
【０００７】
本発明は、このような従来の課題を解決するものであり、少なくとも１チャンネルに複数のスピーカーが接続される場合でもスピーカーの配線の異常を診断することができる電子装置を提供することを目的とする。
【課題を解決するための手段】
【０００８】
本発明に係る電子装置は、音声信号に基づきスピーカーを駆動する機能を備えたものであって、少なくとも１つのチャンネルに接続され、周波数特性がそれぞれ異なる複数のスピーカーと、複数のスピーカーの各配線の異常を診断する診断手段とを有し、前記診断手段は、複数のスピーカーがそれぞれ駆動されたときの消費電流を検出する検出手段と、検出された消費電流に基づき各スピーカー配線の異常の有無を判定する判定手段とを有する。
【０００９】
好ましくは前記診断手段は、各スピーカーの周波数特性に対応する診断信号をそれぞれ生成する生成手段と、前記生成手段により生成された診断信号に基づきスピーカーを駆動するための駆動信号を出力する駆動手段とを有する。好ましくは前記診断手段は、前記診断信号または音声信号の前記駆動手段への入力を切替える入力切替手段と、前記入力切替手段の入力の切替えを制御する入力切替制御手段とを有し、前記入力切替制御手段は、診断時に前記診断信号を前記駆動手段に入力させる。好ましくは前記生成手段は、各スピーカーの診断数および診断順序に応じて対応する診断信号を生成し、生成された診断信号が前記駆動手段に順次入力される。好ましくは複数のスピーカーは、スピーカーの周波数特性に応じたフィルタ回路網を介して前記駆動手段に接続される。好ましくは前記判定手段は、検出された消費電流と閾値とを比較し、消費電流が閾値よりも一定以上小さいとき、診断対象のスピーカーの配線にオープンがあると判定し、消費電流が閾値よりも一定以上大きいとき、診断対象のスピーカーの配線に短絡があると判定する。好ましくは前記判定手段は、スピーカーの周波数特性が重複する範囲で診断する場合には、重複するスピーカーの合計の消費電流を判定するための閾値を設定する。好ましくは複数のスピーカーは、ツイータスピーカー、スコーカースピーカーおよびウーハの中から選択されたスピーカーを含む。
【発明の効果】
【００１０】
本発明によれば、複数のスピーカーがそれぞれ駆動されたときの消費電流を検出し、検出された消費電流に基づき各スピーカー配線の異常の有無を判定するようにしたので、１つのチャンネルの複数のスピーカーが接続されたり、あるいはネットワークを介して複数のスピーカーが接続された場合でも、スピーカーの配線の異常の有無を診断することができる。
【図面の簡単な説明】
【００１１】
【図１】従来のパワーアンプの自己診断機能の構成を説明する図である。
【図２】本発明の実施例に係るネットワークスピーカー構成例を示す図である。
【図３】本発明の実施例に係るパワーアンプの自己診断機能の構成を説明する図である。
【図４】パワーアンプに接続される３ウエイスピーカーの周波数特性を示すグラフである。
【図５】本発明の実施例に係る診断プログラムの機能的な構成を示すブロック図である。
【図６】接続されるスピーカーに対応する診断信号の格納例を示す図である。
【図７】本発明の実施例に係るスピーカー配線の診断方法を説明する動作フローである。
【図８】図８（Ａ）は、スピーカーの周波数特性が重複する例を示し、図８（Ｂ）は、そのときの消費電力と周波数との関係を示す。
【発明を実施するための形態】
【００１２】
次に、本発明の実施の形態について図面を参照して詳細に説明する。本発明の好ましい態様では、スピーカーを備えた電子装置は、例えば、スピーカーシステム、パワーアンプ、オーディオ装置、車載装置等である。パワーアンプやオーディオ装置の用途は特に限定されないが、例えば、移動体等の車両に搭載され、バッテリー等から供給される電力により動作され得る。また、本発明の好ましい態様では、電子装置に接続されるスピーカーは、２ウェイ、３ウェイ等のマルチウェイである。
【実施例】
【００１３】
図２は、本発明の第１の実施例に係る、マルチウェイスピーカーを備えたパワーアンプ（あるいはスピーカーシステム）の概略構成を示す図である。パワーアンプ１００は、例えば、再生された音声信号を入力し、入力された音声信号をボリューム等の設定に従い増幅した駆動信号を生成し、生成した駆動信号を正側端子Ｔｐおよび負側端子Ｔｎから出力することで、接続されたスピーカーを交流駆動する。パワーアンプ１００の正側端子Ｔｐおよび負側端子Ｔｎには、ＬＣ回路網１２０を介してスピーカーが接続される。同図には、３ウェイのスピーカー１４０、１６０、１８０が接続される例が示されている。
【００１４】
ＬＣ回路網１２０は、パワーアンプ１００から出力される駆動信号を、接続されたスピーカーの周波数特性に応じてフィルタリングする。例えば、スピーカー１４０が高音域を出力するツィータスピーカーの場合、ＬＣ回路網１２０は、パワーアンプ１００からの駆動信号の高周波帯域を通過させるハイパスフィルタを含み、この駆動信号がツィータスピーカーに出力される。スピーカー１６０が中音域を出力するスコーカースピーカーの場合、ＬＣ回路網１２０は、パワーアンプ１００からの駆動信号の中帯域を通過させるバンドパスフィルタを含み、この信号がスコーカースピーカーに出力される。スピーカー１８０が低音域を出力するウーハの場合、ＬＣ回路網１２０は、パワーアンプ１００からの低周波数帯域を通過させるローパスフィルタを含み、この駆動信号がウーハに出力される。
【００１５】
図２の例は、１チャンネル（１組の正側端子Ｔｐと負側端子Ｔｎ）に３ウェイのスピーカーが接続される例を示したが、これに限らず、２ウェイやそれ以上の数のスピーカーが接続されるものであってもよい。さらにパワーアンプ１００は、複数のチャンネルを備え、複数のチャンネルにマルチウェイのスピーカーがそれぞれ接続されるものであってもよい。また、図２に示すスピーカーシステムを自動車等の移動体に搭載する場合、マルチウェイのスピーカーを、前方座席の左右、後方座席の左右、前方座席の中央等に配置し、５．１チャンネルサラウンド空間を構成するものであってもよい。さらに図２の例は、パワーアンプ１００に複数のスピーカーが接続される例を示しているが、電子装置の態様はこれに限らず、スピーカーがパワーアンプを内蔵するものであってもよい。
【００１６】
本実施例のパワーアンプ１００は、スピーカーを駆動する通常の機能に加えて、スピーカーの配線の異常を診断するための自己診断機能２００を搭載する。図３は、パワーアンプ１００に内蔵される自己診断機能に関する構成とＬＣ回路網１２０の回路構成とを示す図である。自己診断機能２００は、パワーアンプ１００に電源Ｖｃｃを供給する電源供給部２１０、駆動信号によりスピーカーを駆動しているときの駆動信号の電流を検出する電流検出部２２０、音声信号や診断信号に基づき増幅された駆動信号を生成し、これを正側端子Ｔｐおよび負側端子Ｔｎから出力する駆動回路２３０、メモリ２４０、診断機能を制御する機能を含む制御部２５０、外部から入力される音声信号または診断時の診断信号の入力切替えを行う入力切替部２６０を含む。
【００１７】
以下の説明では、１４０がツィータスピーカー、１６０がスコーカースピーカー、１８０がウーハであるとする。ＬＣ回路網１２０は、ツィータスピーカー１４０の周波数特性に対応する高周波数帯域の駆動信号を通過させるハイパスフィルタ１２２と、スコーカースピーカー１６０の周波数特性に対応する中周波数帯域の駆動信号を通過させるバンドパスフィルタ１２４と、ウーハ１８０の周波数特性に対応する低周波数帯域を通過させるローパスフィルタ１２６を含む。図４に、ツィータスピーカー１４０、スコーカースピーカー１６０およびウーハ１８０の周波数特性のグラフを示す。ツィータスピーカー１４０が出力する高音域の周波数帯域はｆｔ１〜ｆｔ２であり、スコーカースピーカー１６０が出力する中音域の周波数帯域はｆｓ１〜ｆｓ２であり、ウーハ１８０が出力する低音域の周波数帯域はｆｗ１〜ｆｗ２である。
【００１８】
１つの好ましい例では、制御部２５０は、スピーカー配線の異常を診断するための診断プログラムを実行する。制御部２５０は、例えば、ＲＯＭ／ＲＡＭに格納された診断プログラムを実行するためのマイクロコントローラ等を包含する。図５に、診断プログラム３００の機能的な構成を示す。診断プログラム３００は、診断開始検出部３１０、診断信号生成部３２０、入力切替制御部３３０、消費電流取得部３４０、異常有無判定部３５０を含む。
【００１９】
診断開始検出部３１０は、自己診断機能２００を開始するタイミングを検出する。例えば、パワーアンプ１００は、テスト端子を含み（図示省略）、テスト端子に診断開始信号が入力されたとき、診断開始検出部３１０が診断開始信号を検出することで診断を開始させる。あるいは、パワーアンプ１００は、外部接続端子を含み（図示省略）、外部接続端子を介して診断開始信号が外部装置や外部システムから入力されたとき、診断開始検出部３１０が診断を開始させる。あるいは、パワーアンプ１００が、オーディオ装置または車載装置に組み込まれているとき、オーディオ装置または車載装置から指示があったとき、診断開始検出部３１０は、当該指示に応答して診断を開始させる。あるいは、パワーアンプ１００に電源が投入されたとき、診断開始検出部３１０は、パワーアップシーケンスの１つとして診断を開始させる。スピーカー配線の診断は、好ましくは、パワーアンプを製品として出荷する前に行われる。
【００２０】
診断開始検出部３１０により診断の開始が検出されると、診断信号生成部３２０は、診断信号を生成する。診断信号は、接続されているスピーカーを実際に交流駆動するための音声信号であり、診断信号生成部３２０は、接続されるスピーカーの各周波数特性に対応する特定周波数を有する診断信号を生成する。例えば、ツィータスピーカー１４０、スコーカースピーカー１６０およびウーハ１８０が接続される場合、診断信号生成部３２０は、ツィータスピーカー１４０を診断するとき、高音域の周波数を有する音声信号を診断信号として生成し、スコーカースピーカー１６０を診断するとき、中音域の周波数を有する音声信号を診断信号として生成し、ウーハ１８０を診断するとき、低音域の周波数を有する音声信号を診断信号として生成する。
【００２１】
１つの好ましい例では、メモリ２４０は、接続されるスピーカーに使用するための診断信号を格納し、診断信号生成部３２０は、診断対象のスピーカーに対応する診断信号をメモリ２４０から読み出すことができる。例えば、図６に示すように、メモリ２４０は、スピーカーの周波数特性に応じた周波数の診断信号を格納する。診断信号は、例えば、正弦波信号または矩形波信号のいずれであってもよい。
【００２２】
入力切替制御部３３０は、診断開始検出部３１０によりスピーカーの診断開始が検出されると、診断信号生成部３２０により生成された診断信号が駆動回路２３０に入力されるように入力切替部２６０を制御する。また、入力切替部３３０は、診断対象のスピーカーの数（本例では、３つ）と診断する順序に応じて、診断信号生成部３２０により生成された診断信号の入力を順次切り替える。例えば、入力切替制御部３３０は、１つのスピーカーの診断に要する時間が経過したとき、次のスピーカーを診断するための診断信号を駆動回路２３０に入力させる。また、他の例では、入力切替制御部３３０は、診断信号を駆動回路２３０に入力させてから一定時間経過後、次の診断信号を駆動回路２３０に入力させるようにしてもよい。
【００２３】
消費電流取得部３４０は、診断信号に応じて駆動回路２３０によりスピーカーが駆動されているとき、電流検出部２２０により検出された電流を取得する。つまり、スピーカーを駆動するとき、駆動回路２３０には、電源供給部２１０から電源電圧Ｖｃｃが供給され、正側端子ＴｐからＬＣ回路網１２０を介してスピーカーにソース電流が流れ、このソース電流が電流検出部２２０により検出される。消費電流取得部３４０は、電流検出部２２０により検出された消費電流を取得する。また、消費電流取得部３４０は、診断対象のスピーカーが駆動されている期間中に、複数の検出結果を取得した場合には、それらの平均値を算出してもよい。消費電流取得部３４０は、複数のスピーカーが診断されるときの各々について消費電流を取得し、その取得結果を異常有無判定部３５０に提供する。
【００２４】
異常有無判定部３５０は、消費電流取得部３４０により取得された消費電流に基づきスピーカー配線の異常の有無を判定する。異常有無判定部３５０は、取得された消費電力と、予め用意された閾値とを比較することで、スピーカーの短絡やオープン等の異常の有無を判定する。閾値は、正常に接続されたスピーカーを駆動したならば、消費するであろう電流に基づき設定することができ、例えば、スピーカーの定格消費電力から算出するようにしてもよい。閾値は、診断対象のスピーカー毎に設定され、例えば、メモリ２４０には、接続されるスピーカーの閾値が格納され、判定時にメモリ２４０から読み出される。
【００２５】
例えば、ツィータスピーカー１４０の診断において、消費電流が閾値よりも一定以上小さい場合には、ツィータスピーカー１４０の配線にオープンがあると判定する。消費電力が閾値よりも一定以上大きい場合には、ツィータスピーカーの配線に短絡があると判定する。スコーカースピーカー１６０の診断においても同様に、消費電流が閾値よりも一定以上小さい場合には、スコーカースピーカーの配線にオープンがあると判定し、消費電流が閾値よりも一定以上大きい場合には、スコーカースピーカーの配線に短絡があると判定する。ウーハの診断は、ＬＣ回路網１２０が直流電流を遮蔽しないので、従来と同様の直流電流による診断が可能である。但し、ウーハの診断においても、ツィータスピーカーやスコーカースピーカーと同様に、消費電流と閾値とを比較し、オープン／短絡を診断してもよい。
【００２６】
次に、本実施例の診断動作のフローを図７に示す。ここでは、ツィータスピーカー１４０、スコーカースピーカー１６０およびウーハ１８０の順序で診断が行われるものとする。先ず、診断開始検出部３１０により診断が開始されるか否かが検出され（Ｓ１００）、診断開始が検出されると、診断信号生成部３２０は、スピーカーの診断順序に従い、ツィータスピーカー１４０を診断するための診断信号を生成する（Ｓ１０２）。この診断信号は、図４に示すように、ツィータスピーカー１４０が出力する音域の周波数帯域ｆｔ１〜ｆｔ２の音声信号である。診断信号が生成されると、入力切替制御部３３０は、入力切替部２６０を介してツィータ用の診断信号を駆動回路２３０に入力させ、駆動回路２３０から出力された駆動信号がハイパスフィルタ１２２を介してツィータスピーカー１４０を駆動する（Ｓ１０４）。ツィータスピーカー１４０が駆動されている間に消費電流が検出され、これが消費電流取得部３４０により取得され、異常有無判定部３５０へ提供される（Ｓ１０６）。
【００２７】
一定時間経過後、あるいはツィータスピーカー１４０の駆動時の消費電流が取得された後、スコーカー用の診断信号が生成され（Ｓ１０８）、スコーカー用の診断信号に基づきスコーカースピーカー１６０が駆動される（Ｓ１１０）。スコーカー用の診断信号は、図４に示すスコーカースピーカーが出力する音域の周波数帯域ｆｓ１〜ｆｓ２の音声信号である。スコーカースピーカー１６０が駆動されている間に消費電流が検出され、これが異常有無判定部３５０へ提供される（Ｓ１１２）。
【００２８】
次に、ウーハの診断が図１に示した従来と同様の手法により直流信号を印加して診断される（Ｓ１１４）。次に、異常有無判定部３４０は、ツィータスピーカーおよびスコーカースピーカー診断時に検出された消費電流と閾値とをそれぞれ比較し、これらのスピーカーの配線に異常があるか否かを判定する（Ｓ１１６）。また、ウーハに診断結果に基づきウーハの配線に異常があるか否かを判定する。異常有無判定部３４０は、異常があると判定したとき、異常を表すアラームを出力することができる（Ｓ１２０）。この場合、オープンまたは短絡の異常の種類に応じたアラームを出力するようにしてもよい。なお、アラームを出力させる場合には、図２、図３に示すパワーアンプ１００は、診断結果を出力するための出力部を備える。
【００２９】
このように本実施例によれば、接続されるスピーカーの周波数特性に応じた診断信号によりスピーカーを駆動したときの消費電流に基づき、スピーカー配線の異常の有無を判定するようにしたので、直流信号を遮蔽するようなツィータスピーカーやスコーカースピーカーや、あるいはＬＣ回路網に接続されたマルチウェイのスピーカー配線の異常の有無を診断することができる。
【００３０】
次に、本実施例の変形例について説明する。上記実施例では、診断信号生成部３２０は、診断対象のスピーカーの診断信号を予め用意しておくようにしたが、診断信号の生成方法は、これに限定されない。当該変形例では、診断信号生成部３２０は、フルレンジの周波数信号またはホワイトノイズ信号から、診断対象となるスピーカーの周波数特性に応じた診断信号を抽出するようにしてもよい。例えば、ツィータスピーカー１４０の診断を行うとき、診断信号生成部３２０は、ホワイトノイズ信号からツィータスピーカーの周波数特性に対応する周波数を有する診断信号を生成し、スコーカースピーカーの診断を行うとき、ホワイトノイズ信号からスコーカーの周波数特性に対応する周波数を有する診断信号生成するようにしてもよい。この場合、診断信号生成部３２０は、ハイパスフィルタやバンドパスフィルタを備えるものであってもよい。
【００３１】
次に、本発明の第２の実施例について説明する。第２の実施例では、スピーカーの周波数特性が大きく重複する場合の診断方法に関する。図８（Ａ）に示すように、各スピーカーの周波数特性が一部重複するが、特に、ウーハとスコーカーの周波数特性が大きく重複している。各スピーカーの周波数特性は予め知ることができるので、周波数特性が重複する部分では、測定された消費電流を判定するための閾値を変えることでスピーカーの配線の診断を行うことができる。
【００３２】
図８（Ｂ）は、図８（Ａ）のスピーカーを用いたときの消費電流を示す。ウーハとスコーカースピーカーの周波数特定が重複する部分では、ウーハとスコーカースピーカーが同時に駆動されるため、消費電流は、両者の合計である。（１）ないし（４）は、診断信号による診断時の周波数であり、このときの異常の有無の判定は、次のように行われる。
【００３３】
（１）の診断：
診断信号の周波数ｆ１は、ウーハの周波数帯域である（ｆｗ１＜ｆ１＜ｆｗ２）。この場合には、ウーハのみが駆動されため、ウーハが駆動されたときの消費電流を判定するための閾値Ｔｈ１が設定される。検出された消費電流が閾値Ｔｈ１より一定以上小さければ、ウーハの配線にオープンがあると判定され、消費電流が閾値Ｔｈ１より一定以上大きければ、ウーハの配線に短絡があると判定する。
【００３４】
（２）の診断：
診断信号の周波数ｆ２は、ウーハとスコーカーの周波数帯域に重複する（ｆｓ１＜ｆ２＜ｆｗ２）。この場合には、ウーハとスコーカーが駆動されるため、ウーハとスコーカーの双方が駆動されたときの消費電流を判定するための閾値Ｔｈ２が設定される。検出された消費電流が閾値Ｔｈ２より一定以上小さければ、ウーハまたはスコーカースピーカーのいずれかの配線にオープンがあると判定され、消費電流が閾値Ｔ２より一定以上大きければ、ウーハまたはスコーカースピーカーのいずれかの配線に短絡があると判定する。
【００３５】
（３）の診断：
診断信号の周波数ｆ３は、スコーカースピーカーの周波数帯域である（ｆｓ１＜ｆ３＜ｆｓ２）。この場合には、スコーカースピーカーのみが駆動されため、スコーカースピーカーが駆動されたときの消費電流を判定するための閾値Ｔｈ３が設定される。検出された消費電流が閾値Ｔｈ３より一定以上小さければ、スコーカースピーカーの配線にオープンがあると判定され、消費電流が閾値Ｔｈ３より一定以上大きければ、スコーカースピーカーの配線に短絡があると判定する。
【００３６】
（４）の診断：
診断信号の周波数ｆ４は、ツィータスピーカーの周波数帯域である（ｆｔ１＜ｆ４＜ｆｔ２）。この場合には、ツィータスピーカーのみが駆動されため、ツィータスピーカーが駆動されたときの消費電流を判定するための閾値Ｔｈ４が設定される。検出された消費電流が閾値Ｔｈ４より一定以上小さければ、ツィータスピーカーの配線にオープンがあると判定され、消費電流が閾値Ｔｈ４より一定以上大きければ、ツィータスピーカーの配線に短絡があると判定する。
【００３７】
このように本実施例によれば、スピーカーの周波数特性が重複する場合であっても、消費電流を判定するための閾値を適切に設定することで、重複関係にあるスピーカーの配線の診断を行うことができる。
【００３８】
以上、本発明の好ましい実施の形態について詳述したが、本発明は、特定の実施形態に限定されるものではなく、特許請求の範囲に記載された発明の要旨の範囲において、種々の変形、変更が可能である。
【符号の説明】
【００３９】
１００：パワーアンプ                    １２０：ＬＣ回路網
１４０：スピーカー（ツィータ）          １６０：スピーカー（スコーカー）
１８０：スピーカー（ウーハ）            ２００：自己診断機能
２１０：電源供給部                      ２２０：電流検出部
２３０：駆動回路                        ２４０：メモリ
２５０：制御部                          ２６０：入力切替部
【図１】
2018186322.tif 000003
【図２】
2018186322.tif 000004
【図３】
2018186322.tif 000005
【図４】
2018186322.tif 000006
【図５】
2018186322.tif 000007
【図６】
2018186322.tif 000008
【図７】
2018186322.tif 000009
【図８】
2018186322.tif 000010